(57)【要約】【課題】  動画情報の再生または／及び付加機能を提供する保存媒体を再生装置の種類に関係なく円滑に再生しうる再生モード情報が設定された動画再生装置、保存媒体及びその再生方法を提供する。【解決手段】  再生可能なデータのタイプを示す再生モード情報が記録された保存領域と、動画情報を再生するための第１タイプのデータ及び前記動画情報を利用した付加機能を提供するための第２タイプのデータのうち少なくとも１つのタイプのデータが記録された保存媒体から、前記再生モード情報に基づいて第１タイプまたは／及び第２タイプのデータを選択的に再生する再生部とを含むことを特徴とする再生モード情報が設定された動画再生装置。【選択図】      図５ 
2005135578.tif 000002
【特許請求の範囲】
【請求項１】
再生可能なデータの複数のタイプを示す再生モード情報が記録された保存領域と、
前記記録された再生モード情報によって、第１タイプのデータまたは前記第１タイプのデータ及び第２タイプのデータを選択的に再生する再生部と、を含み、
前記第１タイプのデータは動画情報の再生機能を提供し、前記第２タイプのデータは前記動画情報を利用した付加機能を提供することを特徴とする再生装置。
【請求項２】
前記再生モード情報は、前記再生装置が前記第１タイプのデータのみを再生できる場合には第１モードと記録され、前記再生装置が前記第１タイプのデータ及び第２タイプのデータを再生できる場合には第２モードと記録されることを特徴とする請求項１に記載の再生装置。
【請求項３】
前記保存領域は、前記再生モード情報が含まれる複数のシステムパラメータを記録し、前記各パラメータは前記再生装置により設定された再生に関する情報が記録されることを特徴とする請求項２に記載の再生装置。
【請求項４】
前記再生モード情報は再生が始まった後にはその値を再設定できないことを特徴とする請求項３に記載の再生装置。
【請求項５】
前記保存媒体から第１タイプのデータ及び前記第２タイプのデータのうち少なくとも１つのタイプのデータと、前記データの再生を制御するためのシステムデータとを読取る読取り部を含むことを特徴とする請求項１に記載の再生装置。
【請求項６】
前記読取られた第１タイプのデータ、または前記読取られた第１タイプ及び第２タイプのデータと前記読取られたシステムデータを一時保存するバッファ部をさらに含み、
前記再生部は前記システムデータによって前記データの再生を制御するアプリケーション・マネージャをさらに含むことを特徴とする請求項５に記載の再生装置。
【請求項７】
前記再生部は前記第１タイプデータ及び前記第２タイプのデータが再生された映像をオーバーレイして１つの映像に作るためのブレンダーをさらに含むことを特徴とする請求項６に記載の再生装置。
【請求項８】
前記再生部は前記第１タイプのデータに含まれた圧縮符号化された動画情報をデコーディングして再生するプレゼンテーション・エンジンと、
前記第１タイプのデータに含まれた前記動画情報の再生を制御するためのナビゲーション情報によって前記プレゼンテーション・エンジンを制御するナビゲーション・エンジンとを含み、
前記再生モード情報は第１モードと記録されることを特徴とする請求項１に記載の再生装置。
【請求項９】
前記再生部は前記第２タイプのデータであって、ユーザーとのインタラクティブ機能を提供するプログラムデータを実行させるプログラムエンジンをさらに含み、
前記再生モード情報は第２モードと記録されることを特徴とする請求項８に記載の再生装置。
【請求項１０】
前記再生部は前記第２タイプのデータであって、前記動画情報と関連した情報を保存したマークアップ文書から前記関連した情報を取り込んで再生するブラウザデータを実行させるブラウザエンジンをさらに含み、
前記再生モード情報は第２モードで記録されることを特徴とする請求項８に記載の再生装置。
【請求項１１】
前記アプリケーション・マネージャは前記システムデータに含まれた最初に再生されるデータの位置情報を前記ナビゲーション・エンジンに伝達し、
前記ナビゲーション・エンジンは前記最初に再生されるデータを再生するように前記プレゼンテーション・エンジンを制御し、以後に再生されるデータに対して前記保存領域から前記再生モード情報を読取り、前記プレゼンテーション・エンジンは前記再生モード情報によって前記第１タイプのデータを再生するか、または前記第１タイプ及び第２タイプのデータを再生することを特徴とする請求項６に記載の再生装置。
【請求項１２】
前記最初に再生されるデータは第１タイプのデータであることを特徴とする請求項１１に記載の再生装置。
【請求項１３】
前記アプリケーション・マネージャは前記最初に再生されるデータを前記プレジェンテーションエンジン及び前記ナビゲーション・エンジンを通じて再生するように制御し、
前記以後に再生されるデータを前記再生モード情報によって、第１モードであれば、前記プレゼンテーション・エンジン及び前記ナビゲーション・エンジンを通じて再生するように制御し、第２モードであれば、前記プレゼンテーション・エンジン、前記ナビゲーション・エンジン、前記プログラムエンジン及び前記ブラウザエンジンを通じて再生するように制御することを特徴とする請求項１２に記載の再生装置。
【請求項１４】
再生装置への挿入と離脱が容易な移動型保存媒体を読取って再生することを特徴とする請求項１に記載の再生装置。
【請求項１５】
光学装置を利用してデータを読取れる光ディスクに記録されたデータを読取って再生することを特徴とする請求項１４に記載の再生装置。
【請求項１６】
動画情報を再生するための第１タイプのデータ及び前記動画情報を利用した付加機能を提供するための第２タイプのデータのうち少なくとも１つのタイプのデータと、
再生装置が選択的に前記第１タイプのデータを再生するか、または前記第１タイプ及び第２タイプのデータを再生するように制御する再生制御情報とを含むことを特徴とする保存媒体。
【請求項１７】
前記第１タイプのデータまたは前記第１タイプ及び第２タイプのデータの再生を制御するシステムデータを含むことを特徴とする請求項１６に記載の保存媒体。
【請求項１８】
前記システムデータは最初に再生されるデータの位置情報を含むことを特徴とする請求項１７に記載の保存媒体。
【請求項１９】
前記最初に再生されるデータは第１タイプのデータであることを特徴とする請求項１８に記載の保存媒体。
【請求項２０】
前記最初に再生されるデータは前記再生制御情報を含み、
前記再生制御情報は前記再生装置の保存領域から再生モード情報を読取り、読取られた前記再生モード情報が第１モードであれば、前記第１タイプのデータを再生し、読取られた前記再生モード情報が第２モードであれば、前記第１タイプ及び第２タイプのデータを再生するように前記再生装置を制御する情報であることを特徴とする請求項１９に記載の保存媒体。
【請求項２１】
前記第１タイプのデータは圧縮符号化された動画情報と前記動画情報の再生を制御するナビゲーション情報とを含むことを特徴とする請求項１６に記載の保存媒体。
【請求項２２】
前記第２タイプのデータはユーザーとのインタラクティブ機能を提供するプログラムデータを含むことを特徴とする請求項１６に記載の保存媒体。
【請求項２３】
前記プログラムデータは動画情報を利用したゲーム機能、動画の一部を再生しつつテキストを表示する機能、動画の一部を再生しつつ関連した情報を表示する機能、または動画を再生しつつ通信できる機能のうち少なくとも１つの機能を提供することを特徴とする請求項２２に記載の保存媒体。
【請求項２４】
前記プログラムデータは動画情報を再生する応用プログラムインターフェース（ＡＰＩ）関数を含むことを特徴とする請求項２３に記載の保存媒体。
【請求項２５】
前記第２タイプのデータは動画と関連した情報を保存したマークアップ文書から前記情報を取り込んで再生するブラウザデータをさらに含むことを特徴とする請求項１６に記載の保存媒体。
【請求項２６】
前記ブラウザデータは前記マークアップ文書から前記関連した情報を取り込んで再生するマークアップ言語または／及び実行スクリプト言語よりなる少なくとも１つの命令を含むことを特徴とする請求項２５に記載の保存媒体。
【請求項２７】
前記保存媒体はその再生装置への挿入と離脱が容易な移動型媒体であることを特徴とする請求項１６に記載の保存媒体。
【請求項２８】
前記保存媒体はその再生装置の光学装置を利用してデータを読取れる光ディスクであることを特徴とする請求項２７に記載の保存媒体。
【請求項２９】
（ａ）再生可能なデータのタイプを示す再生モード情報を読取る段階と、
（ｂ）前記読取られた再生モード情報によって前記第１タイプのデータまたは前記第１タイプ及び第２タイプデータを選択的に再生する段階とを含み、
前記第１タイプのデータは動画情報の再生機能を提供し、前記第２タイプのデータは前記動画情報を利用した付加機能を提供することを特徴とする再生方法。
【請求項３０】
前記（ａ）段階は、再生装置の保存領域から前記再生モード情報を読取り、
前記再生モード情報は、前記再生装置が前記第１タイプデータを再生できる場合には第１モードと記録され、前記再生装置が前記第１タイプ及び第２タイプのデータを再生できる場合には第２モードと記録されることを特徴とする請求項２９に記載の再生方法。
【請求項３１】
前記（ｂ）段階は、読取られた前記再生モード情報が第１モードであれば、前記第１タイプのデータを再生し、読取られた前記再生モード情報が第２モードであれば、前記第１タイプ及び第２タイプのデータを再生し、再生された各映像を１つの映像にオーバーレイして表示する段階を含むことを特徴とする請求項２９に記載の再生方法。
【請求項３２】
ムービーデータオブジェクトまたは前記少なくとも１つのムービーデータオブジェクトと少なくとも１つの第２タイプのデータオブジェクトの再生を制御するシステムデータを含み、前記少なくとも１つのムービーデータオブジェクトは前記少なくとも１つの第２タイプのデータオブジェクトと独立的に制御されて提供されることを特徴とする保存媒体。
【請求項３３】
前記システムデータは、最初に再生されるデータオブジェクトの位置を示すスタートアップ情報及び再生される前記少なくとも１つのムービーデータオブジェクトと前記少なくとも１つの第２タイプのデータオブジェクトのそれぞれのエントリーポイント情報を有するタイトル情報を含むことを特徴とする請求項３２に記載の保存媒体。
【請求項３４】
再生装置の機能によって前記少なくとも１つのムービーデータオブジェクト、または前記少なくとも１つのムービーデータオブジェクトと前記少なくとも１つの第２タイプのデータオブジェクトを選択的に再生するように前記再生装置を制御する再生制御情報をさらに含むことを特徴とする請求項３２に記載の保存媒体。
【請求項３５】
前記少なくとも１つの第２タイプのデータオブジェクトは、マークアップ文書から関連情報を再生する少なくとも１つのブラウザデータオブジェクト及び／またはユーザーインタラクティブ機能を提供するための少なくとも１つのプログラムデータオブジェクトを含むことを特徴とする請求項３４に記載の保存媒体。
【請求項３６】
前記少なくとも１つのプログラムデータオブジェクトは、前記動画情報を再生するＡＰＩ関数を含むことを特徴とする請求項３５に記載の保存媒体。
【請求項３７】
前記保存媒体は再生装置の光学装置を使用してデータを読取る光ディスクであることを特徴とする請求項３２に記載の保存媒体。
【請求項３８】
前記少なくとも１つのムービーデータオブジェクトは動画を再生する複数のナビゲーションコマンドを含むことを特徴とする請求項３２に記載の保存媒体。
【請求項３９】
前記少なくとも１つのムービーデータオブジェクトはそれぞれの識別番号を有し、前記少なくとも１つのムービーデータオブジェクトの識別番号は各タイトル情報により指示されるエントリーポイント情報と同じであることを特徴とする請求項３８に記載の保存媒体。
【請求項４０】
複数のデータタイプのうち少なくとも１つを記録した媒体からデータを読取って再生する再生装置において、
前記複数のデータタイプと関連した複数の保存領域を有し、前記各保存領域は前記媒体から読取られた複数のデータタイプのうち少なくとも１つをそれに対応するデータタイプの保存領域に保存する保存部と、
データの再生を選択的に制御する複数のエンジンを有し、前記各エンジンは前記複数のデータタイプの保存領域に対応する再生部とを含み、
前記複数のデータタイプは動画データを支援する第１タイプのデータまたは前記第１タイプのデータ及び付加機能を提供する少なくとも１つの第２タイプのデータを含むことを特徴とする再生装置。
【請求項４１】
前記複数のエンジンからデータを受信して前記各エンジンにより再生されたイメージデータをオーバーレイして１つのイメージとして出力するブレンダーをさらに含むことを特徴とする請求項４０に記載の再生装置。
【請求項４２】
前記再生装置により再生できる前記データタイプを示す再生モード情報を記録したシステムレジスタをさらに含み、
前記媒体から読取って前記保存部に保存した前記複数のデータタイプのうち少なくとも１つを前記再生モード情報によって該エンジンに伝達することを特徴とする請求項４０に記載の再生装置。
【請求項４３】
前記再生部は少なくとも１つの、データの再生を制御するナビゲーション・エンジン、圧縮符号化された動画データをデコーディングして再生するプレゼンテーション・エンジン及び前記動画データを再生するように前記ナビゲーション・エンジン及び前記プレゼンテーション・エンジンを制御するアプリケーション・マネージャを含むことを特徴とする請求項４２に記載の再生装置。
【請求項４４】
前記再生部は前記第２タイプのデータを処理する少なくとも１つの付加エンジンをさらに含むことを特徴とする請求項４３に記載の再生装置。
【請求項４５】
前記アプリケーション・マネージャは前記システムレジスタから前記再生モード情報を読取って、前記再生モード情報が第１モードであれば、前記第１タイプのデータを再生するように前記ナビゲーション・エンジン及び前記プレゼンテーション・エンジンを制御し、前記再生モード情報が第２モードであれば、前記第２タイプのデータを再生するように前記付加エンジンを制御することを特徴とする請求項４３または４４に記載の再生装置。
【請求項４６】
前記再生装置は、前記媒体が第１タイプのデータ及び第２タイプのデータを両方とも含んでいても、再生装置が前記第１タイプのデータのみを再生でき、前記第２タイプのデータを再生する付加エンジンを有していない場合、前記システムレジスタの前記再生モード情報を前記第１モードと設定し、前記媒体から前記再生装置が支援できるデータタイプのみを再生することを特徴とする請求項４５に記載の再生装置。
【請求項４７】
前記アプリケーション・マネージャは前記保存部からシステムデータを受けて前記第１タイプのデータである動画情報を再生するように前記ナビゲーション・エンジン及び前記プレゼンテーション・エンジンを制御することを特徴とする請求項４４または４５に記載の再生装置。
【請求項４８】
前記第１タイプのデータを前記ナビゲーション・エンジン及び前記プレゼンテーション・エンジンを通じてデコーディングしつつ、同時に前記第２タイプのデータを前記付加エンジンを通じてデコーディングして、前記デコーディングされた第１タイプ及び第２タイプのデータを前記ブレンダーを通じてオーバーレイして再生することを特徴とする請求項４４または４５に記載の再生装置。
【請求項４９】
前記媒体から再生されるデータを読取ってそのデータを前記保存部に提供する読取り部をさらに含むことを特徴とする請求項４０に記載の再生装置。
【発明の詳細な説明】
【技術分野】
【０００１】
本発明は保存媒体の再生に係り、より詳細には、再生装置が再生できるデータタイプを示す再生モード情報が設定された動画再生装置、保存媒体及びその再生方法に関する。
【背景技術】
【０００２】
現在の保存媒体に記録された動画データは圧縮符号化された動画情報及び動画情報の再生を制御するためのナビゲーション情報を含んでいる。
【０００３】
より具体的に、動画情報はＭＰＥＧ（Ｍｏｔｉｏｎ  Ｐｉｃｔｕｒｅ  Ｅｘｐｅｒｔｓ  Ｇｒｏｕｐ）標準によって符号化されたビデオ、オーディオ及び／またはサブタイトルを含む動画ストリームで構成される。ここに、動画ストリームの符号化属性またはランダムアクセスのためのエントリーポイントなどの付加情報や動画の再生順序を定めて客体にしたプレイリストなどをさらに含みうる。
【０００４】
一方、ナビゲーション情報は前記プレイリストを再生させる命令や、他のプレイリストに分岐する命令などの動画情報の再生を制御するナビゲーションコマンドよりなっている。通常、ナビゲーション情報はバイナリコードのテーブル形態に保存されている。これにより、保存媒体のナビゲーション情報を参考にして動画情報を再生でき、ユーザーは高画質の映画のような動画を視聴できる。このようなナビゲーションコマンドの集まりをムービーオブジェクトという。
【０００５】
しかし、従来の動画を記録した保存媒体は動画情報の再生の他にユーザーとのインタラクティブ機能を提供するプログラム機能やブラウジング機能などの付加機能を提供できない問題点があった。
【０００６】
また、動画情報の再生の他に前記付加機能を提供する保存媒体が存在するとしても、動画の再生機能のみを有する既存の再生装置では前記付加機能を含む保存媒体を再生できず、再生装置と保存媒体間の互換性が落ちる問題点があった。
【発明の開示】
【発明が解決しようとする課題】
【０００７】
したがって、本発明の目的は、前記問題点を解決するために動画の再生機能の他に付加機能として、プログラム機能及びブラウザ機能を提供する保存媒体を提供することである。
【０００８】
また、本発明の他の目的は、再生装置が動画情報の再生機能の他に付加機能を提供できるかの如何と関係なく、すなわち再生装置の種類と関係なく本発明による保存媒体を円滑に再生できる再生装置を提供することである。
【０００９】
さらに、本発明のさらに他の目的は、保存媒体及び再生装置の種類に関係なく本発明による保存媒体を円滑に再生できる再生方法を提供することである。
【課題を解決するための手段】
【００１０】
前記目的は、再生可能なデータのタイプを示す再生モード情報が記録された保存領域と、動画情報を再生するための第１タイプのデータ及び前記動画情報を利用した付加機能を提供するための第２タイプのデータのうち少なくとも１つのタイプのデータが記録された保存媒体から、前記再生モード情報に基づいて第１タイプ、または第１タイプ及び第２タイプのデータを選択的に再生する再生部とを含むことを特徴とする再生装置により達成される。
【００１１】
再生モード情報は、再生装置により再生可能なデータのタイプが第１タイプである場合には、第１モードで記録され、再生装置により再生可能なデータのタイプが第１タイプ及び第２タイプである場合には、第２モードで記録されることが望ましい。
【００１２】
保存領域は、再生装置により設定された再生に関する情報を記録する複数のシステムパラメータを含み、システムパラメータには再生モード情報が含まれ、再生モード情報は再生が始まった後にはその値を再設定できなくすることが望ましい。
【００１３】
さらに、保存媒体から第１タイプのデータ及び第２タイプのデータのうち少なくとも１つのタイプのデータと、データの再生を制御するためのシステムデータとを読取る読取り部を含み、読取れた第１タイプまたは／第１タイプ及び第２タイプのデータとシステムデータを一時保存するバッファ部をさらに含むことが望ましく、特に、再生部は、システムデータに基づいてデータの再生を制御するアプリケーション・マネージャ及び第１タイプ及び第２タイプのデータが再生された映像をオーバーレイして１つの映像に作るためのブレンダーをさらに含むことが望ましい。
【００１４】
また、再生部は、第１タイプのデータに含まれた圧縮符号化された動画情報をデコーディングして再生するプレゼンテーション・エンジン及び第１タイプのデータに含まれた動画情報の再生を制御するためのナビゲーション情報に基づいてプレゼンテーション・エンジンを制御するナビゲーション・エンジンを含み、再生モード情報は第１モードと記録されることが望ましく、再生部は、第２タイプのデータであって、ユーザーとのインタラクティブ機能を提供するプログラムデータを実行させるプログラムエンジンをさらに含み、再生モード情報は第２モードと記録されることが望ましく、再生部は、第２タイプのデータであって、動画と関連した情報を保存したマークアップ文書から関連した情報を取り込んで再生するブラウザデータを実行させるブラウザエンジンをさらに含み、再生モード情報は第２モードと記録されることが望ましい。
【００１５】
アプリケーション・マネージャは、システムデータに含まれた最初に再生されるデータの位置情報をナビゲーション・エンジンに伝達し、ナビゲーション・エンジンは最初に再生されるデータを再生し、以後に再生されるデータについては、保存領域から再生モード情報を読取り、再生モード情報に基づいて再生可能な第１タイプまたは／及び第２タイプのデータを再生するように制御することが望ましい。
【００１６】
この時、最初に再生されるデータは第１タイプのデータであることが望ましく、最初に再生されるデータはプレゼンテーションエンジン及びナビゲーション・エンジンを通じて再生され、以後に再生されるデータは、再生モード情報によって、第１モードであれば、プレゼンテーション・エンジン及びナビゲーション・エンジンを通じて再生され、第２モードであれば、プレゼンテーション・エンジン、ナビゲーション・エンジン、プログラムエンジン及びブラウザエンジンを通じて再生されるように制御することが望ましい。
【００１７】
再生装置への挿脱が容易である脱着式保存媒体を読取って再生することを特徴とする再生装置であり、光学装置を利用してデータを読取れる光ディスクに記録されたデータを読取って再生することを特徴とする再生装置が特に望ましい。
【００１８】
一方、本発明の他の分野によれば、前記目的は、動画情報を再生するための第１タイプのデータ及び前記動画情報を利用した付加機能を提供するための第２タイプのデータのうち少なくとも１つのタイプのデータと、再生装置によって再生可能な第１タイプまたは第１タイプ及び第２タイプのデータを選択的に再生するように制御する再生制御情報とを含むことを特徴とする保存媒体により達成される。
【００１９】
第１タイプまたは第１タイプ及び第２タイプのデータの再生を制御するためのシステムデータを含み、システムデータは最初に再生されるデータの位置情報を含み、最初に再生されるデータは第１タイプのデータであることが望ましい。
【００２０】
特に、最初に再生されるデータは再生制御情報を含み、再生制御情報は再生装置の保存領域から再生モード情報を読取って、読取られた再生モード情報が第１モードであれば、第１タイプのデータを再生し、読取られた再生モード情報が第２モードであれば、第１タイプ及び第２タイプのデータを再生するように制御するための情報であることを特徴とすることが望ましい。
【００２１】
第１タイプのデータは圧縮符号化された動画情報と動画情報の再生を制御するためのナビゲーション情報とを含み、第２タイプのデータはユーザーとのインタラクティブ機能を提供するためのプログラムデータを含み、第２タイプのデータは動画と関連した情報を保存したマークアップ文書から関連した情報を取り込んで再生するためのブラウザデータをさらに含むことが望ましい。
【００２２】
また、一方、本発明の他の分野によれば、前記目的は、（ａ）再生可能なデータのタイプを示す再生モード情報を読取る段階と、（ｂ）動画情報を再生するための第１タイプのデータ及び前記動画情報を利用した付加機能を提供するための第２タイプのデータのうち少なくとも１つのタイプのデータを含む保存媒体から、前記読取られた再生モード情報に基づいて前記第１タイプまたは第１タイプ及び第２タイプデータを選択的に再生する段階と、を含むことを特徴とする再生方法により達成される。
【００２３】
（ａ）段階は、再生装置の保存領域から再生モード情報を読取り、再生モード情報は、再生装置により再生可能なデータのタイプが第１タイプである場合には、第１モードで記録され、再生装置により再生可能なデータのタイプが第１タイプ及び第２タイプである場合には、第２モードで記録されていることが望ましく、（ｂ）段階は、読取られた再生モード情報が第１モードであれば、第１タイプのデータを再生し、読取れた再生モード情報が第２モードであれば、第１タイプ及び第２タイプのデータを再生し、再生された各映像を１つの映像にオーバーレイして画面に表示する段階を含むことが望ましい。
【発明の効果】
【００２４】
本発明によれば、動画情報の再生の他にユーザーとのインタラクティブ機能を提供するプログラム機能とマークアップ文書から関連情報を再生できるブラウジング機能などの付加機能とを提供する保存媒体を提供できる。
【００２５】
また、保存媒体が動画情報の再生のための第１タイプのデータのみを含むかの如何、付加機能を提供する第２タイプのデータをさらに含むかの如何に関係なく、さらに、再生装置が第１タイプ及び第２タイプのデータを再生できるかの如何に関係なく、本発明による保存媒体を再生装置を通じて円滑に再生できる。
【発明を実施するための最良の形態】
【００２６】
以下、図面を参照して本発明の望ましい実施例について詳細に説明する。
【００２７】
前記目的を達成するために、本発明による保存媒体には、動画の再生のための第１タイプのデータまたは第１タイプ及び動画情報を利用した付加機能を提供するための第２タイプのデータが記録されることが望ましい。特に、本発明による保存媒体を再生する再生装置の所定の保存領域から再生可能なデータのタイプを示す再生モード情報を読取り、再生モード情報によって、第１モード用の再生装置であれば、第１タイプのデータを再生し、第２モード用の再生装置であれば、第１タイプ及び第２タイプのデータを再生するように制御する再生制御情報を含むことが望ましい。
【００２８】
また、本発明による再生装置は、第１タイプのデータ及び第２タイプのデータのうち再生装置が再生できるデータタイプを示す再生モード情報を含む所定の保存領域を具備し、再生モード情報が第１モードであれば、第１タイプのデータを再生し、第２モードであれば、第１タイプ及び第２タイプのデータを再生する再生部を具備することが望ましい。
【００２９】
これにより、動画情報の再生または／及び付加機能を提供する保存媒体を再生装置の種類に関係なく円滑に再生できる。
【００３０】
図１は、本発明の望ましい実施例による保存媒体に記録された第１タイプのデータの一例を示した図である。コアデータ１及びシステムデータ３が記録された本発明による保存媒体の一例が示されている。
【００３１】
コアデータ１は、動画の再生のためのデータタイプ（以下、第１タイプ）を有する。各コアデータはオブジェクトの形態に具現される。コアデータは圧縮符号化された動画情報１０１及び動画情報の再生を制御するためのナビゲーション情報１０２を含む。特に、このようなナビゲーションコマンドの集まりをムービーオブジェクトともいう。これにより、保存媒体のナビゲーション情報を参照して動画情報を再生でき、ユーザーは高画質の映画のような動画を視聴できる。
【００３２】
一方、システムデータ３は、コアデータ１の再生を制御するためのデータである。システムデータはスタートアップ情報１０５とタイトル情報１０６とを含む。スタートアップ情報１０５は、保存媒体が再生装置により再生される時に最初に再生されるオブジェクトの位置を指示する。タイトル情報１０６は、再生される各オブジェクトの位置を告知するエントリーポイント情報を含む。
【００３３】
図２は、本発明の望ましい実施例による保存媒体に記録された第１タイプ及び第２タイプのデータの一例を示した図である。コアデータ１、フルデータ２及びシステムデータ３が記録された本発明による保存媒体の他の一例が示されている。
【００３４】
コアデータ１についての説明は前記のようである。
【００３５】
一方、フルデータ２は、動画の再生の他に付加機能を提供するためのデータタイプ（以下、第２タイプ）を有する。フルデータ２は、動画と関連した情報を保存したマークアップ文書から関連した情報を取り込んで再生するためのブラウザデータ２０３または／及びユーザーとのインタラクティブ機能を提供するためのプログラムデータ２０４を含みうる。
【００３６】
ブラウザデータ２０３は、動画と関連した情報を保存したマークアップ文書から関連した情報を取り込んで再生するための命令で構成されたオブジェクトを少なくとも１つ以上含みうる。この時、前記命令はマークアップ言語及び／または実行スクリプト言語（例えば、ＥＣＭＡ  Ｓｃｒｉｐｔ）で具現されうる。これにより、動画と関連した情報を保存したマークアップ文書から関連した情報を取り込んで動画と共に再生できる。例えば、保存媒体に記録された映画と関連してウェブページまたは他のファイルなどに保存された映画俳優に関する最近ニュース、映画と関連したイベント開催ニュースまたはアップデートされたサブタイトルなどの関連した情報を取り込んで映画と共に再生できる。
【００３７】
プログラムデータ２０４は、動画を利用したゲーム機能、動画の一部を再生しつつディレクターのコメントを表示する機能、動画の一部を再生しつつその他の付加情報を表示する機能、または動画を再生しつつチャットできる機能などを提供するオブジェクトを少なくとも１つ以上含みうる。プログラムデータには動画と共にプログラムを実行するために、後述する動画情報を再生するプレゼンテーション・エンジンについてのＡＰＩ（Ａｐｐｌｉｃａｔｉｏｎ  Ｐｒｏｇｒａｍ  Ｉｎｔｅｒｆａｃｅ）関数が含まれうる。その外にフルデータ２には動画の再生の他に他の付加機能を提供する他のデータタイプが含まれる場合もある。
【００３８】
一方、システムデータ３は、コアデータ１及びフルデータ２の再生を制御するためのデータである。システムデータはスタートアップ情報２０５とタイトル情報２０６とを含む。
【００３９】
これにより、第１タイプ及び第２タイプのデータを記録した保存媒体は動画の再生の他に動画を利用した多様な付加機能を提供できる。
【００４０】
図３は、図１に表示された第１タイプのデータに対するシステムデータ３の一例である。システムデータ３は、スタートアップ情報１０５及びタイトル情報１０６を含む。また、メニューを画面に表示するためのメニュー情報３０７がさらに含まれうる。
【００４１】
スタートアップ情報１０５は、保存媒体が再生装置により再生される時に最初に再生されるオブジェクトの位置を指示する。図に表示された例では、スタートアップ情報１０５がコアデータ１に属するムービーオブジェクト（Ｍ−ＯＢ）３０１を示す。これにより、保存媒体が再生装置に挿入されれば、先ずＭ−ＯＢ  ３０１が再生される。
【００４２】
また、タイトル情報は、少なくとも１つのＭ−ＯＢ  ３０３ないし３０５の再生のための制御情報（タイトル＿１、タイトル＿２、タイトル＿３・・・）を含む。第１タイプのコアデータが記録された保存媒体の、タイトル情報は動画の再生のためのナビゲーションコマンドで構成されたムービーオブジェクトを指示する。タイトル情報１０６は、再生される各オブジェクトの位置を告知するエントリーポイント情報を含む。
【００４３】
Ｍ−ＯＢ  ３０３ないし３０５は、動画情報を再生するための複数のナビゲーションコマンドよりなっており、通常、バイナリテーブル化されている。各ムービーオブジェクトには識別番号があり、この識別番号がタイトル情報により指示されるエントリーポイント情報となる。
【００４４】
また、各オブジェクトは他のオブジェクトの位置を指示することによって、１つのオブジェクトは他のオブジェクトと連結されて再生されうる。例えば、Ｍ−ＯＢ  ３０１は他のＭ−ＯＢ  ３０２を指示し、さらに他のＭ−ＯＢ  ３０３ないし３０５を指示することによって、他のオブジェクトと連結されて再生可能である。
【００４５】
図４は、図２に表示された第１タイプ及び第２タイプのデータに対するシステムデータ３の一例である。システムデータ３はコアデータ１及びフルデータ２の再生を制御するためのデータである。システムデータ３は、スタートアップ情報２０５とタイトル情報２０６とを含む。また、メニューを画面に表示するためのメニュー情報４０７がさらに含まれうる。
【００４６】
スタートアップ情報２０５は、保存媒体が再生装置により再生される時に最初に再生されるオブジェクトの位置を指示する。図に表示された例では、スタートアップ情報２０５がコアデータ１に属するＭ−ＯＢ  ４０１を示す。これにより、保存媒体が再生装置に挿入されれば、先ずＭ−ＯＢ  ４０１が再生される。
【００４７】
タイトル情報２０６は再生される各オブジェクトの位置を告知するエントリーポイント情報を含む。タイトル情報２０６は少なくとも１つのオブジェクトの再生のための制御情報（タイトル＿１、タイトル＿２、タイトル＿３・・・）を含む。各タイトル情報が指示するオブジェクトは提供される機能によって第１タイプのコアモード用のオブジェクト１（以下、ムービーオブジェクト）と、第２タイプのプログラムモード用のオブジェクト２０４（以下、プログラムオブジェクト）及び／またはブラウザモード用のオブジェクト２０３（以下、ウェブページオブジェクト）に区分されうる。
【００４８】
ムービーオブジェクト４０１は、動画情報を再生するための複数のナビゲーションコマンドよりなっており、通常、バイナリテーブル化されている。各ムービーオブジェクトには識別番号があり、この識別番号がタイトル情報により指示されるエントリーポイント情報となる。ウェブページオブジェクト２０３は、マークアップ言語及び／または実行用スクリプト言語で構成され、該マークアップ文書のファイル名がエントリーポイント情報になりうる。プログラムオブジェクト２０４は、ユーザーとのインタラクティブ機能を提供するプログラムで構成され、該プログラムのファイル名がエントリーポイント情報になりうる。
【００４９】
各オブジェクトは他のオブジェクトの位置を指示することによって、１つのオブジェクトは他のオブジェクトと連結されて再生されうる。
【００５０】
前記のように、本発明の望ましい実施例による保存媒体は、動画の再生のためのコアデータのみを含む場合もあり、動画を利用したその他の付加機能を提供するためのフルデータとしてプログラムデータ及び／またはブラウザデータをさらに含むこともある。特に、後者の保存媒体は単に動画を再生する他に、動画を利用したゲーム、チャット、ウェブページの関連情報の表示などの多様な付加機能を提供できる。
【００５１】
本発明による保存媒体はその再生装置への挿入と脱離が容易な脱着式であり、再生装置の光学装置を利用してデータを読取れる光ディスクであることが望ましい。例えば、ＣＤ−ＲＯＭ、ＤＶＤのような光ディスクが含まれ、以後、開発される光ディスクが含まれうる。
【００５２】
以下、前記保存媒体を再生する再生装置について説明する。
【００５３】
図５は、本発明の望ましい実施例による再生装置のブロック構成図である。再生装置は読取り部５０２、バッファ部５０３、再生部５０４及び所定の保存領域としてシステムレジスタ５０５を含む。
【００５４】
読取り部５０２は、保存媒体５０１から再生されるデータを読取る。保存媒体が光ディスクである場合、再生装置は光ディスクに記録されたデータを読取れる光学装置を含む。読取り部は保存媒体の種類によって、第１タイプのコアデータを読取ることもでき、第２タイプのフルデータを読取る場合もある。
【００５５】
バッファ部５０３は、読取り部５０２で読取ったデータを一時保存した後で再生部５０４に伝達する。
【００５６】
再生部５０４は、後述するシステムレジスタ５０５に記録された再生モード情報に基づいて、各データのタイプによる別途の再生機能を有する再生エンジンを通じてオブジェクトを再生する。再生されたオブジェクトはディスプレイ装置（図示せず）を通じてディスプレイされる。
【００５７】
システムレジスタ５０５は、再生装置により再生可能なデータのタイプを示す再生モード情報が記録された所定の保存領域である。システムレジスタについては後述する。
【００５８】
図６は、第１タイプのデータを再生できる再生装置（第１モード再生装置）をより具体的に説明するための図である。バッファ部５０３は読取れたデータのタイプによってナビゲーション・データ・バッファ６０１、動画データバッファ６０２及びシステムデータバッファ６０３にそれぞれのデータを一時保存する。一時保存された各データはシステムレジスタ５０５の再生モード情報によって該当する再生エンジンに伝えられる。
【００５９】
再生部５０４は、再生エンジン６０４及び６０５及びアプリケーション・マネージャ６０６を含む。
【００６０】
再生エンジン６０４及び６０５は、ナビゲーション・エンジン６０４及びプレゼンテーション・エンジン６０５を含む。ナビゲーション・エンジン６０４はナビゲーション・データ・バッファ６０１からナビゲーションデータを受けて動画ストリームデータの再生を制御する。動画を再生する命令で構成されたＡＰＩ関数を通じてプレゼンテーション・エンジン６０５が動画情報を再生することを制御することが可能である。プレゼンテーション・エンジン６０５は動画データバッファ６０２から動画ストリームデータを受けて圧縮符号化された動画をデコーディングして再生する。
【００６１】
システムレジスタ５０５は、再生装置により再生可能なデータのタイプを示す再生モード情報を含む。図６に表示された再生装置は動画情報を再生するためのコアデータ（第１タイプのデータ）のみを再生できるので、再生モード情報には第１モードと記録される。
【００６２】
ナビゲーション・エンジン６０４は、最初に再生されるオブジェクトを再生した後、システムレジスタ５０５の再生モード情報を読取り、再生モード情報が第１モードであれば、ナビゲーション・エンジン６０４及びプレゼンテーション・エンジン６０５を通じて以後の第１タイプのオブジェクトを再生する。
【００６３】
一方、アプリケーション・マネージャ６０６は、システムデータバッファ６０３からシステムデータ３を受けて再生エンジン６０４及び６０５が動画情報を再生することを制御する。すなわち、システムデータ３のスタートアップ情報１０５を利用して保存媒体を再生させる時に最初再生すべきオブジェクトを探して再生する。また、システムデータのタイトル情報１０６を参照して再生されるオブジェクトの位置を探して再生する。
【００６４】
これにより、示されたように付加機能を提供する第２タイプを再生できるエンジンなしに動画の再生のみを支援する第１タイプのデータのみを再生できる再生装置の場合でも、システムレジスタ５０５の再生モード情報を第１モードに設定することによって、第１タイプ及び第２タイプのデータを両方とも含む保存媒体が挿入されても第１タイプのデータのみを円滑に再生できる。すなわち、付加機能が提供される保存媒体が挿入されてもエラーなしに再生装置が支援できる限度内で動画を円滑に再生できる。
【００６５】
図７は、第１タイプ及び第２タイプのデータを再生できる再生装置（第２モード再生装置）をより具体的に説明するための図である。バッファ部５０３は読取ったデータのタイプによってブラウザデータバッファ７０１、プログラムデータバッファ７０２、ナビゲーション・データ・バッファ７０３、動画データバッファ７０４及びシステムデータバッファ７０５にそれぞれのデータを一時保存する。一時保存された各データはシステムレジスタ５０５の再生モード情報によって該当する再生エンジンに伝えられる。
【００６６】
再生部５０４は、再生エンジン７０６乃至７０９、アプリケーション・マネージャ７１０及びブレンダー７１１を含む。
【００６７】
再生エンジン７０６乃至７０９は、一時保存されたデータのタイプによってそれぞれの再生機能を有するエンジンを含む。具体的に再生エンジンは、ブラウザエンジン７０６、プログラムエンジン７０７、ナビゲーション・エンジン７０８及び／またはプレゼンテーション・エンジン７０９を含む。
【００６８】
ブラウザエンジン７０６は、ブラウザデータバッファ７０１からブラウザデータ２０３を受けてマークアップ文書から動画情報と関連した情報を取り込んで再生する。すなわち、ブラウザデータに含まれたマークアップ言語や実行用のスクリプト言語で構成されたブラウジング命令を実行する。
【００６９】
プログラムエンジン７０７は、プログラムデータバッファ７０２からプログラムデータ２０４を受けてユーザーとのインタラクティブ機能を提供する。すなわち、ゲーム、チャット、ディレクターコメントなどの機能を具現する特定プログラムを実行する。これにより、動画を利用したユーザーとの相互作用が可能である。この時、前記ブラウザエンジンやプログラムエンジンは、後述する動画を再生するプレゼンテーション・エンジンに対するＡＰＩ関数を使用して動画を利用した付加機能を提供できる。
【００７０】
ナビゲーション・エンジン７０８は、ナビゲーション・データ・バッファ７０３からナビゲーションデータを受けて動画ストリームデータの再生を制御する。動画を再生する命令で構成されたＡＰＩ関数を通じてプレゼンテーション・エンジン７０９が動画情報を再生することを制御することが可能である。
【００７１】
プレゼンテーション・エンジン７０９は、動画データバッファ７０４から動画ストリームデータ２０１を受けて圧縮符号化された動画をデコーディングして再生する。
【００７２】
一方、アプリケーション・マネージャ７１０は、システムデータバッファ７０５からシステムデータ３を受けて再生エンジン７０６乃至７０９が動画情報の再生及び付加機能を提供することを制御する。すなわち、システムデータのスタートアップ情報２０５を利用して保存媒体を再生させる時に最初再生すべきオブジェクトを探して再生する。また、システムデータのタイトル情報２０６を参照して再生されるオブジェクトの位置を探して、データタイプによって該当する再生エンジンを通じてオブジェクトを再生する。
【００７３】
また、一方、システムレジスタ５０５は、再生装置により再生可能なデータのタイプを示す再生モード情報が記録された所定の保存領域である。図７に表示された再生装置は動画情報を再生するためのコアデータ（第１タイプのデータ）及びフルデータ（第２タイプデータ）を両方とも再生できるので、再生モード情報には第２モードと記録される。システムレジスタ５０５の構造は後述する。
【００７４】
ナビゲーション・エンジン６０４は、最初に再生されるオブジェクトを再生した後、システムレジスタ５０５の再生モード情報を読取り、再生モード情報が第２モードであれば、ナビゲーション・エンジン６０４及びプレゼンテーション・エンジン６０５を通じて以後の第１タイプのオブジェクトを再生し、ブラウザエンジン７０６及びプログラムエンジン７０７を通じて以後の第２タイプのオブジェクトを再生する。
【００７５】
ブレンダー７１１は、前記各再生エンジン、すなわちブラウザエンジン７０６、プログラムエンジン７０７及び／またはプレゼンテーション・エンジン７０９で再生されたグラフィック画面をオーバーレイして１つの映像に作って出力する。
【００７６】
これにより、動画を再生しつつ同時にブラウジング機能やプログラム機能などの付加機能を具現できる。すなわち、システムレジスタ５０５が第２モードに設定された再生装置の場合、ナビゲーション・エンジン及びプレゼンテーション・エンジンにより第１タイプの動画データがデコーディングされ、プログラムエンジン及びブラウザエンジンにより第２タイプの付加機能を提供するプログラムデータ及び／またはブラウザデータがデコーディングされ、デコーディングされた各データがブレンダー７１１により１つの画面にオーバーレイされてディスプレイされる。例えば、マトリックスという第１タイプの動画データが再生されつつ、登場人物に対するプロフィールの紹介画面がオーバーレイされて再生される場合や、登場する携帯電話に対する広告画面がオーバーレイされる場合などのように動画と共に付加機能が提供されうる。
【００７７】
図８は、本発明の望ましい実施例による再生装置のシステムレジスタ５０５に設定されたシステムパラメータの一例を示した図である。システムレジスタ５０５は再生装置により設定された再生についての情報を記録する複数のシステムパラメータを含む所定の保存領域である。図のように０〜６３まで６４個のシステムパラメータの例が表示されている。それぞれのシステムパラメータ項目は、３２ビットの正の整数値を有する固定した長さに定められている。システムパラメータにはオーディオストリームナンバー、プレイリストナンバー、ナビゲーションタイマー、メニューの言語情報、字幕の言語情報などの再生装置が支援する動画の再生についての各種制御情報が記録される。また、後で使用できるように複数の予約領域がある。特に、１３番以後のシステムパラメータは再生が始まった後にはその値を再設定できない。
【００７８】
本発明によるシステムレジスタ５０５には再生装置が再生可能なデータのタイプを示す再生モード情報が含まれる。再生モード情報は前記予約領域のうち任意のＮ番目領域に記録される。再生装置が第１タイプのデータの再生のみを支援する場合には第１モードと、第１タイプ及び第２タイプのデータの再生を両方とも支援する場合には第２モードと記録される。すなわち、システムレジスタ５０５内の再生モード情報を読取れば、その再生装置が再生できるデータのタイプが分かる。特に、再生モード情報は再生が始まった後にはその値を再設定できないように１３番目領域の以後に記録されることが望ましい。
【００７９】
図のシステムレジスタを構成するシステムパラメータの数、各パラメータの長さ、順序などは一例に過ぎず、多様な形態に変形されて具現されうる。
【００８０】
図９は、図８に表示されたシステムパラメータのうち再生モード情報の一例を示した図である。再生モード情報は３２ビットの固定した長さを有するレジスタであり、最下位ビット（Ｌｅａｓｔ  Ｓｉｇｎｉｆｉｃａｎｔ  Ｂｉｔ：ＬＳＢ）ｂ０（Ｐ−ｍｏｄｅ）に０または１の値と記録される。０は、再生装置が第１モード再生装置であることを示し、第１タイプの動画情報のみを再生できる。１は、再生装置が第２モード再生装置であることを示し、第１タイプの動画情報の再生及び第２タイプの動画を利用した付加機能を提供できる。図面の再生モード情報のビット配列、ビット数なども一例に過ぎず、多様な形態に変形されて具現されうる。
【００８１】
最初に再生されるデータは、保存媒体と再生装置との互換性を高めるために如何なる種類の再生装置でも再生可能な第１タイプのコアデータであることが望ましい。以後に再生されるデータは前記再生モード情報によって、選択的に第１モードであれば、プレゼンテーション・エンジン及びナビゲーション・エンジンを通じて再生され、第２モードであれば、プレゼンテーション・エンジン、ナビゲーション・エンジンを通じて第１タイプのデータが再生され、ブラウザエンジン及びプログラムエンジンを通じて第２タイプのデータが再生されることが望ましい。
【００８２】
図１０は、本発明の望ましい実施例による保存媒体に記録された再生制御情報の一例を示した図である。１つのシステムデータ３を使用して如何なる再生装置ででも第１タイプまたは第１タイプ及び第２タイプのデータが含まれた保存媒体を円滑に再生できる再生制御情報が表示されている。
【００８３】
図に表示されたナビゲーションコマンドの例を説明すれば、再生装置のシステムレジスタ５０５の再生モード情報を読取り、その値が０（コアモード、または第１モード）であれば、第１タイプのムービーオブジェクトを呼び出す。また、再生モード情報の値が１（フルモード、または第２モード）であれば、第１タイプのムービーオブジェクト及び第２タイプのプログラム及び／またはブラウザオブジェクトを呼び出す。
【００８４】
このようなナビゲーションコマンドはシステムデータ３のスタートアップ情報１０５または２０５により指示される最初に再生されるムービーオブジェクト（第１タイプのコアデータ）の一部分として含まれる。この時、最初に再生されるオブジェクトは第１タイプのムービーオブジェクトであることが望ましい。なぜなら、最初に再生されるオブジェクトが第１タイプのムービーオブジェクトである場合には第１モード再生装置であるか、または第２モード再生装置であるか、再生装置の種類に関係なく何れも再生可能であるので、再生装置と保存媒体間の互換性が高まるためである。すなわち、再生モード情報を参照すれば、保存媒体に記録されたデータの種類に関係なく、また、再生装置が如何なるデータを支援するかに関係なく円滑に再生できる。
【００８５】
前記のような構成に基づいて本発明の望ましい実施例によってモード情報を含む動画データの再生方法を説明すれば、次のようである。
【００８６】
図１１は、本発明による再生方法を説明するための参考図である。システムデータ３に含まれたスタートアップ情報１１０１を通じて最初に再生されるムービーオブジェクト１１０２を探して再生し、以後に再生されるオブジェクトは再生装置のシステムレジスタ１１０３の再生モード情報を読取って選択的に第１モードであれば、プレゼンテーション・エンジン及びナビゲーション・エンジンを通じてムービーオブジェクト（第１タイプのデータ）を再生し、第２モードであれば、プレゼンテーション・エンジン及びナビゲーション・エンジンを通じてムービーオブジェクト（第１タイプのデータ）を再生すると同時に、ブラウザエンジン及びプログラムエンジンを通じてブラウザオブジェクト及び／またはプログラムオブジェクト（第２タイプのデータ）を再生し、それぞれ再生されたグラフィックをブレンダーを通じて１つの映像に作ってディスプレイ部（図示せず）を通じて出力する。
【００８７】
図１２は、本発明による再生方法を示したフローチャートである。本発明によって保存媒体の種類または再生装置の種類に関係なく円滑に動画を再生するために、まず保存媒体からシステムデータ３を読取り（１２０１段階）、読取られたシステムデータに含まれたスタートアップ情報１０５または２０５を参照して最初に再生される第１タイプのムービーオブジェクトを呼び出す（１２０２段階）。以後に再生されるデータについては、呼び出されたムービーオブジェクトに含まれたナビゲーションコマンド（再生制御情報）によって、再生装置のシステムレジスタから再生モード情報を読取った後（１２０３段階）、読取られた再生モード情報によって第１モードであれば、コアモードデータ（第１タイプ）を再生し、第２モードであれば、コアモードデータ及びフルモードデータ（第１タイプ及び第２タイプ）を再生する（１２０４段階）。
【００８８】
また、本発明はコンピュータで読取れる記録媒体にコンピュータ可読コードで具現されうる。コンピュータが読取れる記録媒体はコンピュータシステムによって読取れるデータが保存される全種の記録装置を含む。コンピュータ可読記録媒体の例としては、ＲＯＭ、ＲＡＭ、ＣＤ−ＲＯＭ、磁気テープ、フロッピー（登録商標）ディスク、光ディスクなどがあり、また、キャリアウェーブ（例えば、インターネットを通じた伝送）の形態に具現されるものを含む。また、コンピュータ可読記録媒体はネットワークで連結されたコンピュータシステムに分散され、分散方式でコンピュータ可読コードで保存されて実行されうる。
【００８９】
以上の説明は本発明の一実施例に過ぎず、本発明が属する技術分野で当業者は本発明の本質的特性から逸脱しない範囲で変形された形態で具現できる。したがって、本発明の範囲は前記実施例に限定されず特許請求の範囲に記載された内容と同等な範囲内にある多様な実施形態が含まれるように解釈されねばならない。
【産業上の利用可能性】
【００９０】
本発明によれば、動画情報の再生の他にユーザーとのインタラクティブ機能を提供するプログラム機能、またはマークアップ文書から関連情報を再生できるブラウジング機能などの付加機能を提供する保存媒体を提供できる。
【００９１】
また、再生装置が支援するデータタイプを示す再生モード情報を利用して、動画情報の再生のための第１タイプのデータ及び付加機能を提供する第２タイプのデータのうち必要なデータのみを円滑に再生できる再生装置を提供できる。
【図面の簡単な説明】
【００９２】
【図１】本発明の望ましい実施例による保存媒体に記録された第１タイプのデータの一例を示した図である。
【図２】本発明の望ましい実施例による保存媒体に記録された第１タイプ及び第２タイプのデータの一例を示した図である。
【図３】図１に表示された第１タイプのデータに対するシステムデータの一例である。
【図４】図２に表示された第１タイプ及び第２タイプのデータに対するシステムデータの一例である。
【図５】本発明の望ましい実施例による再生装置のブロック構成図である。
【図６】第１タイプのデータを再生できる再生装置（第１モード再生装置）をより具体的に説明するための図である。
【図７】第１タイプ及び第２タイプのデータを再生できる再生装置（第２モード再生装置）をより具体的に説明するための図である。
【図８】本発明の望ましい実施例による再生装置のシステムレジスタに設定されたシステムパラメータの一例を示した図である。
【図９】図８に表示されたシステムパラメータのうち再生モード情報の一例を示した図である。
【図１０】本発明の望ましい実施例による保存媒体に記録された再生制御情報の一例を示した図である。
【図１１】本発明による再生方法を説明するための参考図である。
【図１２】本発明による再生方法を示したフローチャートである。
【符号の説明】
【００９３】
５０１  保存媒体
５０２  読取り部
５０３  バッファ部
５０４  再生部
５０５  システムレジスタ
【図１】
2005135578.tif 000003
【図２】
2005135578.tif 000004
【図３】
2005135578.tif 000005
【図４】
2005135578.tif 000006
【図５】
2005135578.tif 000007
【図６】
2005135578.tif 000008
【図７】
2005135578.tif 000009
【図８】
2005135578.tif 000010
【図９】
2005135578.tif 000011
【図１０】
2005135578.tif 000012
【図１１】
2005135578.tif 000013
【図１２】
2005135578.tif 000014